(57)【要約】【課題】  入浴に際し、要介護者にとって、より利用し易いように、浴槽の幅方向に簡単に設置可能で、しかも位置調整が容易に行える手摺を、低価格で提供する。【解決手段】  ほぼ直角の屈曲部を有する管形状で、片方の端部に浴槽の縁を覆うように挟持する取付部材１を有する第一の手摺部３と、ほぼ直線の管形状で、片方の端部に前記第一の手摺部３の外周側または内周側に嵌合する摺動部４を備え、他方の端部に吸盤６が取り付けられてなる第二の手摺部５によって、全体の長さが伸縮可能である浴槽用手摺を構成する。吸盤６は、開口部を有する筐体１２の開口部に、吸着用ゴム板１３が取り付けられた構成で、吸着用ゴム板１３のほぼ中央部を、筐体１２の内部に引き込むことにより吸着用ゴム板１３の表面と取付面との間に、負圧の空間を形成して取付面に吸着する機能を有する。【選択図】図１
0003166181.tif 000002
【実用新案登録請求の範囲】
【請求項１】
ほぼ直角の屈曲部を有する管形状で、片方の端部に浴槽の縁を覆うように挟持する取付部材を有する第一の手摺部と、ほぼ直線の管形状で、片方の端部に前記第一の手摺部の外周側または内周側に嵌合する摺動部を備え、他方の端部に吸盤が取り付けられてなる第二の手摺部を有し、全体の長さが伸縮可能であることを特徴とする浴槽用手摺。
【請求項２】
前記吸盤は、ほぼ円形の開口部を有する筐体の前記開口部に、ほぼ円形の吸着用ゴム板が取り付けられ、前記吸着用ゴム板のほぼ中央部を、前記筐体内部に引き込むことにより前記吸着用ゴム板が前記筐体側に凹んだ形状の凹部を形成できる手段を有することを特徴とする、請求項１に記載に浴槽用手摺。
【考案の詳細な説明】
【技術分野】
【０００１】  本考案は、浴槽に用いられる手摺に関するもので、特に浴槽の幅方向に架設され、浴槽の長さ方向の任意の位置に取り付け可能な浴槽用手摺に関するものである。
【背景技術】
【０００２】  我が国においては、人口の高齢化に伴い、住宅などについて、いわゆるバリアフリー化が要求されるとともに、それに対応した様々な介護用品が必要になっている。【０００３】  入浴は、高齢者などの要介護者にとって楽しみの一つであるが、反面、介護を行う者にとっては、負担が大きい作業である。入浴に際しては、浮力で要介護者の身体が軽くなるので、要介護者が浴槽の中で、自身で身体を支えたり、移動したりできるようにするため、浴槽付近に手摺を設置すると、介護者の負担を軽減できる可能性がある。【０００４】  このような観点から、多様な構造の浴室用もしくは浴槽用の手摺が提案されている。例えば、特許文献１には、浴槽の縁と浴室の天井の間に、伸縮可能な支柱を設置し、当該支柱に手摺となる把持部材を取り付け可能とした、浴槽用の手摺が開示されている。しかし、この手摺は、浴槽から離れた位置に設置されるので、要介護者にとっては、使い勝手という観点で改善の余地がある。【０００５】  また特許文献２には、水平方向に浴槽に掛け渡すことが可能な構造の浴槽用手摺が開示されている。しかし、この手摺は、固定するための構造がやや複雑で、利用者の身長などに合わせるための、位置調整の容易性に改善の余地がある。この他にも浴室や浴槽に取り付け可能な手摺が多数提案されているが、いずれも構造が複雑で、製造コストなどの点で普及のためには課題を残すと言える。
【先行技術文献】
【特許文献】
【０００６】
【特許文献１】  特開２００７−１１１４２９号公報
【特許文献２】  特開２００７−１７５２４５号公報
【考案の概要】
【考案が解決しようとする課題】
【０００７】  従って、本考案の課題は、入浴に際して利用者、つまり要介護者にとって、より利用し易いように、浴槽の幅方向に簡単に設置可能で、しかも位置調整が容易に行える手摺を、低価格で提供することである。
【課題を解決するための手段】
【０００８】  本考案は、前記の課題解決のため、通常の家庭における浴室では、浴槽が壁に接触した状態で設置されていることに着目し、手摺の片端を壁に接合させる構造とすることで、手摺の取付構造を簡略化することを検討した結果、なされたものである。【０００９】  即ち、本考案は、ほぼ直角の屈曲部を有する管形状で、片方の端部に浴槽の縁を覆うように挟持する取付部材を有する第一の手摺部と、ほぼ直線の管形状で、片方の端部に前記第一の手摺部の外周側または内周側に嵌合する摺動部を備え、他方の端部に吸盤が取り付けられてなる第二の手摺部を有し、全体の長さが伸縮可能であることを特徴とする浴槽用手摺である。【００１０】  また、本考案は、前記吸盤が、ほぼ円形の開口部を有する筐体の前記開口部に、ほぼ円形の吸着用ゴム板が取り付けられ、前記吸着用ゴム板のほぼ中央部を、前記筐体内部に引き込むことにより前記吸着用ゴム板が前記筐体側に凹んだ形状の凹部を形成できる手段を有することを特徴とする、前記の浴槽用手摺である。
【考案の効果】
【００１２】  本考案による浴槽手摺は、片方の端部に吸盤が取り付けられ、しかも当該吸盤は、吸盤面、つまり吸着用ゴム板を壁面に押し当て、吸盤の筺体内部の引き込むことにより、壁面と吸着用ゴム板との間に負圧の空間が形成される構造なので、簡単に壁面に接合できる。吸着に際し、壁面については、一定以上の平滑さが要求されるが、壁面が粗なために、吸盤の吸着が困難な場合は、平滑な面を有する金属板、またはプラスチック板を、別途に壁面に貼り付けることで対応できる。【００１３】  また、他方の端部には、浴槽の縁を挟持するためのコ字状の取付部材が設けられ、前記の吸盤を用いるとともに、この取付部材を浴槽の縁に嵌合するだけで、手摺の位置決めと固定ができる。従って、要介護者であっても、自身の身長などに合わせて位置を調整することも、ある程度可能である。【００１４】  さらに本考案の手摺は、ほぼ直角の屈曲部を有する、つまりＬ字形状の管形状の部材と、直線形状の管形状の部材を有し、どちらか一方を他方の外周側または内周側に嵌合し、嵌合した部分が摺動可能な構造なので、全体の長さを一定範囲内で調整することが可能である。従って、家庭用の浴槽であれば殆どの寸法のものに対応できる。
【図面の簡単な説明】
【００１５】
【図１】  本考案に係る浴槽用手摺の一例の断面図。
【図２】  本考案に係る浴槽用手摺の一例を浴槽に取り付けた状態を示す図。
【考案を実施するための形態】
【００１６】  次に本考案の実施の形態について、具体的な図に基づいて説明する。図１は、本考案に係る浴槽用手摺の一例の断面図である。図１において、１は取付部、２は浴槽保護用の緩衝材板、３は第一の手摺部、４は摺動部、５は第二の手摺部、６は吸盤、７は吸盤接合部材、８は吸着用ゴム板移動用のハンドル、９は雄ネジ部、１０は雌ネジ部、１１は渦巻きバネ、１２は吸盤筐体、１３は吸着用ゴム板である。
【００１７】  本考案においては、使用目的から、緩衝材板２と、吸着用ゴム板１３以外の部材には一定以上の機械的強度が必要であるため、ステンレスなどの金属材料で構成するのが望ましい。従って取付部１を浴槽の縁に嵌合させると、浴槽の縁表面に傷を付ける虞があるのと、浴槽の縁の寸法に取付部１の内側の寸法を合わせる必要があるため、緩衝材板を接合するのが望ましい。緩衝材板に用いる材質としては、柔軟性及び弾性が必要である他、耐水性も要求されるので、軟質のプラスチック材料やゴム材料が適している。
【００１８】  また、手摺全体の長さを調整可能とするため、この例では、第一の手摺部３の内周側に第二の手摺部５を嵌合させ、摺動部４を構成している。この例では、第一の手摺部３と第二の手摺部５の相対的な位置を固定する機構を、特に示していないが、例えば第一の手摺部３の端部に雌ネジを切り、内周側に第二の手摺部５を挿通したナットを螺合させることで固定することも可能である。
【００１９】  第二の手摺部５の一方の先端には、吸盤接合部材７を介して吸盤６が取り付けられている。この吸盤６は開口部を有する吸盤筺体１２と、吸盤筺体１２に設けられた雌ネジ部１０と、前記開口部に接合された吸着用ゴム板１３と、ハンドル８を備えた雄ネジ部９を主な構成要素とするものである。
【００２０】  そして、この例においては、雄ネジ部９は渦巻きバネ１１を介して吸着用ゴム板１３に接合されている。使用に際しては、ハンドル８の操作により、渦巻きバネ１１を、図における上の方向に移動させることで、球着用ゴム板１３の中心部を、図における上の方向に付勢する。吸着用ゴム板１３を浴室の壁面に押し当てた状態で、この操作を行うと壁面と吸着用ゴム板との間に、負圧の空間が形成され、吸盤６が機能することになる。
【００２１】  図２は、本考案に係る浴槽用手摺の一例を浴槽に取り付けた状態を示す図である。図２において、１４は浴槽である。このように浴槽１４の縁に取付部１を嵌合させ、吸盤６を浴室の壁面に吸着させることで、浴槽の幅方向に本考案に係る手摺を架設することができる。しかも、この手摺は、取り外しや浴槽の長さ方向の移動が、極めて簡単に行える。
【００２２】  以上に説明したように、本考案によれば、簡単な構造で取り扱いも容易な浴槽用手摺を提供でき、入浴における介護者の負担軽減に寄与するところは極めて大きいと言える。なお、本考案は、前記実施の形態に限定されるものではなく、本考案の分野における通常の知識を有する者であれば想到し得る、各種変形、修正を含む、本考案の要旨を逸脱しない範囲の設計変更があっても、本考案に含まれることは勿論である。
【符号の説明】
【００２３】１    取付部
２    緩衝材板
３    第一の手摺部
４    摺動部
５    第二の手摺部
６    吸盤
７    吸盤接合部材
８    ハンドル
９    雄ネジ部
１０  雌ネジ部
１１  渦巻きバネ
１２  吸盤筐体
１３  吸着用ゴム板
１４  浴槽
【図１】
0003166181.tif 000003
【図２】
0003166181.tif 000004